(57)【特許請求の範囲】
【請求項１】
柄と本体を枢支部において枢支し、
柄と本体の一方における上記枢支部を中心とする回転方向の複数位置に凹面を設け、
柄と本体の他方に設けられる係合部材を上記凹面に向けて付勢し、係合部材は柄と本体の回転により相隣る上記凹面のそれぞれに対し弾発的に進退して繰り返し係脱でき、
柄と本体の他方に設けられるロックピースをロック位置とロック解除位置に切替設定でき、ロック位置に位置付けられたロックピースは係合部材のストッパ面に衝接して係合部材を上記凹面との係合位置に保持し、ロック解除位置に位置付けられたロックピースは係合部材のストッパ面から離隔して係合部材の弾発的な進退を自由にする清掃具。
【請求項２】
前記ロックピースが柄と本体の他方において係合部材の進退経路に交差する方向に設けられたガイド孔にスライド可能に組込まれるとともに、柄と本体の他方の外側に臨む操作部と、係合部材のストッパ面に接離するロック部とを備え、
柄と本体の他方とロックピースの間に設けられるばねがロックピースをロック位置に付勢し、ロック位置に位置付けられたロックピースのロック部を係合部材のストッパ面に衝接し、
操作部に加える操作によりロックピースをロック解除位置に切替設定し、ロック解除位置に位置付けられたロックピースのロック部を係合部材のストッパ面から離隔する請求項１に記載の清掃具。
【請求項３】
前記係合部材が前記凹面に係脱する凸面を備えるとともに、該係合部材の進退方向において凸面の反対側にくびれ部を備え、該係合部材の進退方向においてくびれ部の中間部に前記ストッパ面を備え、
前記ロックピースが枠状をなし、ロックピースの枠内に係合部材のくびれ部を配置し、ロックピースがロック位置に位置付けられたとき、該ロックピースの枠の一部に設けたロック部が係合部材のストッパ面に衝接し、ロックピースがロック解除位置に位置付けられたとき、ロックピースの上記ロック部が係合部材のストッパ面から離隔し、係合部材のくびれ部をロックピースの枠内で進退可能にする請求項２に記載の清掃具。
【請求項４】
前記ロックピースの操作部を、柄と本体の他方の外面凹部に配置した請求項２又は３に記載の清掃具。
【請求項５】
前記柄が伸縮可能である請求項１〜４のいずれかに記載の清掃具。
【発明の詳細な説明】
【技術分野】
【０００１】
本発明は清掃具に関する。
【背景技術】
【０００２】
柄に対する本体の角度を多段に変更できる清掃具として、特許文献１に記載の如く、柄と本体を枢支部において枢支し、本体の上記枢支部を中心とする回転方向の複数位置に凹部を設け、柄に内蔵したロック部材を上記凹部に向けて付勢し、ロック部材をいずれかの凹部に嵌合させて柄と本体の角度をロックするものがある。
【０００３】
また、柄の側面に突出するボタンを押込むことにより、ボタンが係合するロック部材を凹部との嵌合位置から外し、柄に対する本体の回転を自由にし、柄に対する本体の角度を新たな角度に設定替えできるものとしている。
【特許文献１】特開2004-49619
【発明の開示】
【発明が解決しようとする課題】
【０００４】
特許文献１に記載の清掃具では、柄に対する本体の角度を変えようとするとき、ロック部材を従前の嵌合凹部との嵌合位置から外して新たな凹部に嵌合させるまで、ボタンを押込み続ける必要がある。柄を複数の凹部に対応する複数の角度位置に順に仮止めし、柄と本体の適度な角度を簡易に選択することも容易でない。
【０００５】
ボタンが押込み操作のために柄の側面から外方に突出しており、清掃具の外観（厚みや幅）のコンパクトを損なう。
【０００６】
柄と本体の適度な角度を選択するとき、ボタンを押し続けながら、ロック部材が嵌合すべき新たな凹部をさがすため、ロック部材を相隣る凹部の１つ１つに嵌合させるように柄と本体を一定角度ずつ正確に回転させる必要がある。柄が伸縮可能で長い状態にあるときには、柄と本体を一定角度ずつ正確に回転させることに困難がある。
【０００７】
本発明の課題は、清掃具において、柄に対する本体の角度を簡易に変更することにある。
【０００８】
本発明の他の課題は、清掃具の外観のコンパクトを図ることにある。
【０００９】
本発明の他の課題は、清掃具の柄が長いときにも、柄に対する本体の角度を簡易に変更することにある。
【課題を解決するための手段】
【００１０】
請求項１の発明は、柄と本体を枢支部において枢支し、柄と本体の一方における上記枢支部を中心とする回転方向の複数位置に凹面を設け、柄と本体の他方に設けられる係合部材を上記凹面に向けて付勢し、係合部材は柄と本体の回転により相隣る上記凹面のそれぞれに対し弾発的に進退して繰り返し係脱でき、柄と本体の他方に設けられるロックピースをロック位置とロック解除位置に切替設定でき、ロック位置に位置付けられたロックピースは係合部材のストッパ面に衝接して係合部材を上記凹面との係合位置に保持し、ロック解除位置に位置付けられたロックピースは係合部材のストッパ面から離隔して係合部材の弾発的な進退を自由にする清掃具である。
【００１１】
請求項２の発明は、請求項１の発明において更に、前記ロックピースが柄と本体の他方において係合部材の進退経路に交差する方向に設けられたガイド孔にスライド可能に組込まれるとともに、柄と本体の他方の外側に臨む操作部と、係合部材のストッパ面に接離するロック部とを備え、柄と本体の他方とロックピースの間に設けられるばねがロックピースをロック位置に付勢し、ロック位置に位置付けられたロックピースのロック部を係合部材のストッパ面に衝接し、操作部に加える操作によりロックピースをロック解除位置に切替設定し、ロック解除位置に位置付けられたロックピースのロック部を係合部材のストッパ面から離隔するようにしたものである。
【００１２】
請求項３の発明は、請求項２の発明において更に、前記係合部材が前記凹面に係脱する凸面を備えるとともに、該係合部材の進退方向において凸面の反対側にくびれ部を備え、該係合部材の進退方向においてくびれ部の中間部に前記ストッパ面を備え、前記ロックピースが枠状をなし、ロックピースの枠内に係合部材のくびれ部を配置し、ロックピースがロック位置に位置付けられたとき、該ロックピースの枠の一部に設けたロック部が係合部材のストッパ面に衝接し、ロックピースがロック解除位置に位置付けられたとき、ロックピースの上記ロック部が係合部材のストッパ面から離隔し、係合部材のくびれ部をロックピースの枠内で進退可能にするようにしたものである。
【００１３】
請求項４の発明は、請求項２又は３の発明において更に、前記ロックピースの操作部を、柄と本体の他方の外面凹部に配置したものである。
【００１４】
請求項５の発明は、請求項１〜４のいずれかの発明において更に、前記柄が伸縮可能であるようにしたものである。
【発明の効果】
【００１５】
（請求項１）
(a)柄に対する本体の角度を変更するときには、ロックピースをロック解除位置に切替設定することにより、ロックピースを係合部材のストッパ面から離隔して係合部材の弾発的な進退を自由にする。これにより、柄に対して本体を回転すると、係合部材は相隣る凹面のそれぞれに対し弾発的に進退して繰り返し係脱できるから、柄を複数の凹面に対応する複数の角度位置に順に仮止めし、柄と本体の適度な角度を簡易に選択することができる。柄と本体の適度な角度が選択されたときには、ロックピースをロック位置に切替設定することにより、ロックピースを係合部材のストッパ面に衝接して係合部材を凹面との係合位置に保持し、柄と本体の角度をロックできる。
【００１６】
（請求項２）
(b)柄と本体の他方とロックピースの間に設けられるばねがロックピースをロック位置に付勢し、ロック位置に位置付けられたロックピースのロック部を係合部材のストッパ面に衝接する。他方、操作部に加える操作によりロックピースをロック解除位置に切替設定し、ロック解除位置に位置付けられたロックピースのロック部を係合部材のストッパ面から離隔する。従って、柄に対する本体の角度を変更するときには、操作部を操作してロックピースをロック解除位置に切替設定する必要があるが、柄と本体の適度な角度が選択されたときには、操作部から手を離せば、ばねがロックピースをロック位置に付勢して該ロック位置に位置付ける。
【００１７】
（請求項３）
(c)ロックピースが枠状をなし、ロックピースの枠内に係合部材のくびれ部を配置することにより、柄と本体の他方にロックピースと係合部材をコンパクトにまとめて柄又は本体に内蔵できる。
【００１８】
（請求項４）
(d)ロックピースの操作部を、柄と本体の他方の外面凹部に配置した。従って、ロックピースが押込み操作のために柄や本体の側面から外方に突出することがない。清掃具の外観（厚みや幅）をコンパクトにでき、清掃具をより狭い隙間に挿入して使用できる。
【００１９】
（請求項５）
(e)上述(a)の如く、ロックピースをロック解除位置に切替設定し、柄に対し本体をただ単に回転することで、係合部材は相隣る凹面のそれぞれに対し弾発的に進退して繰り返し係脱でき、柄と本体の適度な角度を簡易に選択できる。柄が伸縮可能で長い状態にあるときにも、柄と本体を一定角度ずつ正確に回転させることなく、係合部材が係合すべき新たな凹面を簡易にさがすことができる。
【発明を実施するための最良の形態】
【００２０】
図１は清掃具を示す斜視図、図２は清掃具の柄の最収縮状態を示す斜視図、図３は清掃具に清掃シートを取付けた状態を示す斜視図、図４は柄と本体の角度調節構造を示す断面図、図５は図４の一部を破断して示す平面図、図６は図４のVI−VI線に沿う断面図、図７はロックピースのロック状態を示す断面図、図８はロックピースのロック解除状態を示す断面図、図９は柄と本体の角度調節構造を分解して示す斜視図である。
【実施例】
【００２１】
清掃具１は、図１〜図３に示す如く、柄１０に本体２０を連結して構成される。
【００２２】
柄１０は、複数、本実施例では４個の軸１１〜１４を伸縮可能に連結したものである。軸１１の中空部に軸１２を、軸１２の中空部に軸１３を、軸１３の中空部に軸１４を順に挿入して軸方向に伸縮自在に連結したものである。これにより、本体２０の清掃ヘッド２４を使用者の手元〜遠隔に位置付けて使用できる。図１は最伸長状態、図２は最収縮状態を示す。
【００２３】
本体２０は、柄１０の最先端部（軸１４）に枢支部２１を介してアーム２２を枢支し、アーム２２の先端部に清掃ヘッド２４を連結し、清掃ヘッド２４の取付プレート２５に清掃シート２６（図３）を着脱自在に挿着可能にしたものである。
【００２４】
以下、柄１０と本体２０（本実施例ではアーム２２）の角度調節構造について説明する（図４〜図９）。
【００２５】
柄１０とアーム２２を枢支部２１において枢支する。柄１０の軸１４の先端部に設けた取付部３１にアーム２２の二股状の取付部３２を嵌合する。取付部３２の一側の取付孔に挿着される回り止めスリーブ３３を取付部３１の取付孔３１Ａに一側から差し入れ、回り止めスリーブ３３の二面幅状の係合平面３３Ａを取付孔３１Ａの係合平面３１Ｂに係合させて回り止めする。取付部３２の他側の取付孔に挿着される回り止めスリーブ３４を取付部３１の取付孔３１Ａに他側から差し入れ、回り止めスリーブ３４の二面幅状の係合平面３４Ａを取付孔３１Ａの係合平面３１Ｂに係合させて回り止めする。止ねじ３５を回り止めスリーブ３３の中空部から差し込み、止ねじ３５の先端ねじ部を回り止めスリーブ３４のめねじ部に螺着することにより、アーム２２を軸１４の取付部３１に揺動可能に取付ける。
【００２６】
柄１０の取付部３１の外周面で、枢支部２１（止ねじ３５）を中心とする回転方向の複数位置に円弧状の凹面３６を設ける。取付部３１の外周面の幅方向（取付孔３１Ａの軸方向に沿う方向）の中央部に円盤の外縁状をなす仕切部３７を設け、仕切部３７の両側の外周面に左右の凹面３６、３６を設ける。
【００２７】
アーム２２に設けられる係合部材４１を柄１０の取付部３１の上記凹面３６に向けて付勢する。柄１０とアーム２２を枢支部２１において枢支したとき、アーム２２の中心軸上の軸方向にそれぞれ穿設してあるばね収容孔３８、ガイド孔３９に、圧縮コイルばね４２、係合部材４１を順に装填する。係合部材４１はばね４２の付勢力を受け、ガイド孔３９にガイドされ、取付部３１の凹面３６に向けて弾発的に進退可能に付勢される。
【００２８】
係合部材４１は取付部３１の凹面３６に係脱する先端凸面４１Ａを凹面３６に対する進退方向の先端部に備える。係合部材４１は、取付部３１の仕切部３７を収容する先端へこみ部４１Ｂを備え、へこみ部４１Ｂの両側に左右の凸面４１Ａを備え、左右の凸面４１Ａ、４１Ａを取付部３１の左右の凹面３６、３６に係脱する。係合部材４１は、凹面３６に対する進退方向において凸面４１Ａの反対側にくびれ部４１Ｃを備え、該進退方向においてくびれ部４１Ｃの中間下部にストッパ面４１Ｄを備え、該進退方向の基端部に基端ばね受面４１Ｅを備える。係合部材４１は、ばね受面４１Ｅに突設してある凸部４１Ｆをばね４２の内径部に挿入する状態で、ばね４２の付勢力により付勢されるとともに、ガイド孔３９にガイドされて凸面４１Ａを取付部３１のいずれかの凹面３６に押し当てる。係合部材４１の凸面４１Ａは、使用者が柄１０とアーム２２を折り曲げる如くに回転させるとき、ばね４２の付勢力を受ける状態下で相隣る凹面３６のそれぞれに対し弾発的に進退して順に、繰り返し係脱できる。
【００２９】
即ち、本体２０を柄１０に対して回転させると、本体２０の係合部材４１が取付部３１に対して回転する。そして、係合部材４１が回転すると、係合部材４１の凸面４１Ａがばね４２の付勢力に抗して取付部３１の凹面３６の円弧状の面に押し戻され、凹面３６と隣の凹面３６との間に乗り上がり、係合部材４１はガイド孔３９の軸方向の沿う横方向に沿って弾発的に後退する（ばね４２の側に後退する）。そして、更に係合部材４１が取付部３１に対して回転すると、係合部材４１の凸面４１Ａは上記の回転方向の隣になる凹面３６に弾発的に入り込み、係合部材４１はガイド孔３９の軸方向に沿う横方向に弾発的に前進する。以上のように、係合部材４１の凸面４１Ａは、本体２０を柄１０に対して回転させることで、ガイド孔３９の軸方向に沿う横方向に弾発的に進退しながら相隣る凹面３６に入り込み、係合凸面４１Ａと凹面３６の係脱を可能としている。
【００３０】
本体２０のアーム２２にロックピース５０が設けられる。ロックピース５０は、ロック位置（図７）とロック解除位置（図８）に切替設定できる。ロック位置に位置付けられたロックピース５０は、係合部材４１のストッパ面４１Ｄに衝接して係合部材４１の凸面４１Ａを柄１０の取付部３１の凹面３６との係合位置に保持する。ロック解除位置に位置付けられたロックピース５０は、係合部材４１のストッパ面４１Ｄから離隔して、係合部材４１の前述の如くの弾発的な進退を自由にする。
【００３１】
ロックピース５０は、アーム２２において、ばね収容孔３８とガイド孔３９の間で、係合部材４１の前述の進退経路に交差、本実施例ではアーム２２の中心軸に直交する方向に穿設されたガイド孔６０にスライド可能に組み込まれる。ロックピース５０は、アーン２２の外側に臨む操作部５１と、係合部材４１のストッパ面４１Ｄに接離するロック部５２とを備える。本実施例では、操作部５１はアーム２２の湾曲面上の外面凹部２２Ａに配置される。
【００３２】
アーム２２のガイド孔６０の底面とロックピース５０の間には、左右２本の圧縮コイルばね６１、６１が設けられる。ばね６１はロックピース５０をロック位置（図７）に付勢し、ロック位置に位置付けられたロックピース５０のロック部５２を係合部材４１のストッパ面４１Ｄに衝接する。操作部５１に加える押し込み操作により、ロックピン５０をばね６１の付勢力に抗してロック解除位置（図８）に切替設定し、ロック解除位置に位置付けられたロックピース５０のロック部５２を係合部材４１のストッパ面４１Ｄから離隔する。
【００３３】
具体的には、ロックピース５０は四角枠状（図９）をなし、アーム２２のガイド孔６０にスライド可能に組み込まれたとき、アーム２２のばね収容孔３８とガイド孔３９の間に延在する係合部材４１のくびれ部４１Ｃをロックピース５０の枠内に配置する。ロックピース５０は四角枠の上枠を操作部５１とし、下枠をロック部５２とする。ロックピース５０の左右の縦枠に下側から穿設した孔にばね６１の上端側が挿入される。ロックピース５０がばね６１によりロック位置（図７）に位置付けられたとき、ロックピース５０の下枠のロック部５２が係合部材４１のストッパ面４１Ｄに衝接する。ロックピース５０が上枠の操作部５１に加える押し込み操作によりロック解除位置（図８）に位置付けられたとき、ロックピース５０の下枠のロック部５２が係合部材４１のストッパ面４１Ｄから下方に離隔し、係合部材４１のくびれ部４１Ｃをロックピース５０の枠内で進退自由にする。
【００３４】
従って、清掃具１にあっては、ロックピース５０がばね６１の付勢力によりロック位置（図７）に位置付けられたときには、ロックピース５０のロック部５２が係合部材４１のストッパ面４１Ｄに衝接し、柄１０の取付部３１のいずれかの凹面３６と係合している係合部材４１の進退動を制止し、係合部材４１が設けられているアーム２２と柄１０の角度をロックする。他方、ロックピース５０が操作部５１に加える押し込み操作によりロック解除位置（図８）に位置付けられたときには、ロックピース５０のロック部５２が係合部材４１のストッパ面４１Ｄから離隔し、係合部材４１の進退動を自由にし、柄１０とアーム２２の回転とともに、係合部材４１は柄１０の取付部３１の相隣る凹面３６のそれぞれに対し弾発的に進退して繰り返し係脱でき、柄１０を任意の角度位置に順に仮止めし、適度な角度を選択できる。
【００３５】
尚、清掃具１にあっては、柄１０と本体２０（アーム２２）の一方に凹面３６を設け、他方に係合部材４１、ロックピース５０等を設けるものであれば良い。
【００３６】
本実施例によれば以下の作用効果を奏する。
(a)柄１０に対する本体２０の角度を変更するときには、ロックピース５０をロック解除位置に切替設定することにより、ロックピース５０を係合部材４０のストッパ面４１Ｄから離隔して係合部材４０の弾発的な進退を自由にする。これにより、柄１０に対して本体２０を回転すると、係合部材４０は相隣る凹面３６のそれぞれに対し弾発的に進退して繰り返し係脱できるから、柄１０を複数の凹面３６に対応する複数の角度位置に順に仮止めし、柄１０と本体２０の適度な角度を簡易に選択することができる。柄１０と本体２０の適度な角度が選択されたときには、ロックピース５０をロック位置に切替設定することにより、ロックピース５０を係合部材４０のストッパ面４１Ｄに衝接して係合部材４０を凹面３６との係合位置に保持し、柄１０と本体２０の角度をロックできる。
【００３７】
(b)本体２０とロックピース５０の間に設けられるばね６１がロックピース５０をロック位置に付勢し、ロック位置に位置付けられたロックピース５０のロック部５２を係合部材４０のストッパ面４１Ｄに衝接する。他方、操作部５１に加える操作によりロックピース５０をロック解除位置に切替設定し、ロック解除位置に位置付けられたロックピース５０のロック部５２を係合部材４０のストッパ面４１Ｄから離隔する。従って、柄１０に対する本体２０の角度を変更するときには、操作部５１を操作してロックピース５０をロック解除位置に切替設定する必要があるが、柄１０と本体２０の適度な角度が選択されたときには、操作部５１から手を離せば、ばね６１がロックピース５０をロック位置に付勢して該ロック位置に位置付ける。
【００３８】
(c)ロックピース５０が枠状をなし、ロックピース５０の枠内に係合部材４０のくびれ部４１Ｃを配置することにより、本体２０にロックピース５０と係合部材４０をコンパクトにまとめて柄１０又は本体２０に内蔵できる。
【００３９】
(d)ロックピース５０の操作部５１を、本体２０の外面凹部２２Ａに配置した。従って、ロックピース５０が押込み操作のために柄１０や本体２０の側面から外方に突出することがない。清掃具１の外観（厚みや幅）をコンパクトにでき、清掃具１をより狭い隙間に挿入して使用できる。
【００４０】
(e)上述(a)の如く、ロックピース５０をロック解除位置に切替設定し、柄１０に対し本体２０をただ単に回転することで、係合部材４０は相隣る凹面３６のそれぞれに対し弾発的に進退して繰り返し係脱でき、柄１０と本体２０の適度な角度を簡易に選択できる。柄１０が伸縮可能で長い状態にあるときにも、柄１０と本体２０を一定角度ずつ正確に回転させることなく、係合部材４０が係合すべき新たな凹面３６を簡易にさがすことができる。
【図面の簡単な説明】
【００４１】
【図１】図１は清掃具を示す斜視図である。
【図２】図２は清掃具の柄の最収縮状態を示す斜視図である。
【図３】図３は清掃具に清掃シートを取付けた状態を示す斜視図である。
【図４】図４は柄と本体の角度調節構造を示す断面図である。
【図５】図５は図４の一部を破断して示す平面図である。
【図６】図６は図４のVI−VI線に沿う断面図である。
【図７】図７はロックピースのロック状態を示す断面図である。
【図８】図８はロックピースのロック解除状態を示す断面図である。
【図９】図９は柄と本体の角度調節構造を分解して示す斜視図である。
【符号の説明】
【００４２】
１  清掃具
１０  柄
２０  本体
２１  枢支部
２２Ａ  外面凹部
３６  凹面
４１  係合部材
４１Ａ  凸面
４１Ｃ  くびれ部
４１Ｄ  ストッパ面
５０  ロックピース
５１  操作部
５２  ロック部
６０  ガイド孔
６１  ばね
【図１】
0005052249.tif 000002
【図２】
0005052249.tif 000003
【図３】
0005052249.tif 000004
【図４】
0005052249.tif 000005
【図５】
0005052249.tif 000006
【図６】
0005052249.tif 000007
【図７】
0005052249.tif 000008
【図８】
0005052249.tif 000009
【図９】
0005052249.tif 000010